(57)【要約】【課題】  画像形成のための機能切換えキーを操作することなく、原稿を操作することで画像形成の機能切換えが可能な画像形成装置を提供する。【解決手段】  前の原稿を読取ってから時間ａが経過してから、原稿を給紙トレイに挿入した後、挿入から所定時間ｂ内に抜取り、その後一定時間ｂ内に、再度原稿を給紙トレイに挿入し、挿入されている時間が所定時間ｃを超えていることを原稿センサが検出すれば、画像形成機能の変更ありと判断し、機能切換えキーを操作することなく画像形成の機能切換えを指示する。【選択図】      図３
2006308894.tif 000002
【特許請求の範囲】
【請求項１】
複数の画像形成機能を有する画像形成装置において、
原稿の動きを検出するための検出手段と、
前記検出手段が検出した前記原稿の動きの検出パターンを記憶する原稿検出パターン記憶手段と、
前記原稿検出パターン記憶手段に記憶している検出パターンに応じて前記複数の画像形成機能のうち、所望の機能を設定する機能設定手段とを備える、画像形成装置。
【請求項２】
前記原稿検出パターン記憶手段は、前記原稿検出手段によって前記原稿の動きが検出され、第１の時間が経過するまでの間に、前記原稿が第２の時間の間検知されたときの検出パターンを機能の変更を示すパターンとして記憶する、請求項１に記載の画像形成装置。
【請求項３】
前記原稿検出パターン記憶手段は、前記原稿検出手段によって前記第２の時間が経過するまでの間に前記原稿を検出しなくなったときの検出パターンを機能の変更しないことを示すパターンとして記憶する、請求項１に記載の画像形成装置。
【請求項４】
前記機能設定手段は、
前記設定した機能を表示する表示手段と、
前記設定した機能の実行を指令するための指令手段と、
前記原稿検出パターン記憶手段に記憶している検出パターンに応じて、前記表示手段に対応する機能を表示し、前記指令手段から指令が与えられたことに応じて、対応する機能を実行する制御手段とを含む、請求項１から３のいずれかに記載の画像形成装置。
【請求項５】
前記制御手段は、前記検出手段が前記原稿検出パターンを検出する都度、前記複数の画像形成機能のそれぞれに対応するフラグを設定し、設定したフラグに対応する機能を前記表示手段に表示する、請求項４に記載の画像形成装置。
【発明の詳細な説明】
【技術分野】
【０００１】
この発明は画像形成装置に関し、特に、コピー機やＦＡＸやスキャナなどの複数の機能を有する画像形成装置に関する。
【背景技術】
【０００２】
コピー機と、ＦＡＸと、スキャナとの機能を有する複合機においては、各機能を切換えるために機能切換えキーが設けられているとともに、原稿を読取るための画像読取装置が内蔵されている。このような複合機において、機能切換えキーを操作して、コピー機とＦＡＸとスキャナのいずれかの機能を選択する。その後、片面／両面読込の切換や、カラー／モノクロの切換や、文字／文字＋写真／写真モードの切換などの様々なモードをキー操作により切換えた後、スタートキーを操作すると原稿の読取が開始される。しかし、原稿を持つ手と機能切換えキーやモード切換えキーを操作する手とが同じ場合、原稿を給紙トレイや原稿載置台に載置する前に一旦台の上などに置いた後、機能切換えキーやモード切換えキーの位置まで手を移動させてキーを押す動作になり、時間のロスを生じる。
【０００３】
また、原稿を持つ手と、違う手で押せる装置も考えられているが、その手が塞がっていた場合には、原稿を給紙トレイや原稿載置台に載置してから、その手をモード切換えキーの位置まで移動せざるを得なかった。このような不都合を解消するために、特開２０００ー３４９９７９号公報（特許文献１）には、原稿を原稿載置台に載置したことを原稿センサで検出すると、原稿の読取を開始する画像形成装置について記載されている。
【特許文献１】特開２０００ー３４９９７９号公報（段落番号００３１〜００３９、図３）
【発明の開示】
【発明が解決しようとする課題】
【０００４】
特許文献１に記載された画像形成装置では、原稿を原稿載置台に載置したことを原稿センサで検知したときに原稿の読取を開始するにすぎず、機能切換えやモード切換えは専用のキーを操作する必要がある。
【０００５】
そこで、この発明の目的は、機能切換えキーなどを操作することなく、原稿を操作することで各種機能の切換えが可能な画像形成装置を提供することである。
【課題を解決するための手段】
【０００６】
この発明は、複数の画像形成機能を有する画像形成装置において、原稿を検出するための検出手段と、検出手段が原稿を検出するパターンを記憶する原稿検出パターン記憶手段と、原稿検出パターン記憶手段に記憶しているパターンに応じて複数の画像形成機能のうち、所望の機能を設定する機能設定手段とを備える。
【０００７】
このように検出した原稿検出パターンに応じて機能切換えの設定を行うことで、機能切換えキーなどを操作することなく機能切換えの設定を指示できる。
【０００８】
好ましくは、原稿検出パターン記憶手段は、原稿検出手段によって原稿の動きが検出され、第１の時間が経過するまでの間に原稿が第２の時間の間検知されたときの検出パターンを機能の変更を示すパターンとして記憶する。
【０００９】
好ましくは、原稿検出パターン記憶手段は、原稿検出手段によって第２の時間が経過するまでの間に原稿を検出しなくなったときの検出パターンを機能の変更しないことを示すパターンとして記憶する。
【００１０】
好ましくは、機能設定手段は、設定した機能を表示する表示手段と、設定した機能の実行を指令するための指令手段と、原稿検出パターン記憶手段に記憶している検出パターンに応じて表示手段に対応する機能を表示し、指令手段から指令が与えられたことに応じて、対応する機能を実行する制御手段とを含む。
【００１１】
好ましくは、制御手段は、検出手段が原稿検出パターンを検出する都度、複数の画像形成機能のそれぞれに対応するフラグを設定し、設定したフラグに対応する機能を表示手段に表示する。
【発明の効果】
【００１２】
以上のように、この発明によれば、複数の機能のいずれかに切換えるための機能切換えキーなどを操作することなく、原稿検出パターンにより機能切換えの設定を指示できるので、機能切換えキーの位置まで手を移動させてキーを押す動作が不要になり、時間のロスを生じることがない。
【００１３】
また、同じ手で機能切換えキーを操作するために原稿を持ち替えることなく機能切換えを指示できるので、作業効率が向上する。さらに、一方の手で原稿を持ち、他方の手で他の物を持っている場合であっても、一方の手で機能切換えの操作を行った後、原稿を原稿供給手段に装着することで原稿の読取指示が可能になる。
【発明を実施するための最良の形態】
【００１４】
図１はこの発明の一実施形態における画像形成装置のブロック図である。図１において、画像形成装置に含まれている制御手段としての制御部１１には、操作部１２と、画像読取部１３と、印刷部１４と、回線通信部１５と、ＬＡＮ通信部１６と、設定した機能を表示する表示手段としての表示部１７と、原稿検出パターン記憶手段としての画像メモリ１８とが接続されている。
【００１５】
操作部１２はコピー機とＦＡＸとスキャナの各機能を切換えるための実行を指令する指令手段としての切換えキーや、原稿の読取開始を指示するためのスタートキーを含むとともに、読取時の解像度や縮小率などの各種モードを設定するためのモード選択キーを含む。
【００１６】
原稿読取部１３は原稿の画像を読取り、印刷部１４はデータの印刷を行う。回線通信部１５はＦＡＸの送受信時に公衆通信回線と通信を行う。ＬＡＮ通信部１６は画像形成装置をスキャナとして使用するときやプリンタとして使用するときに、例えばパーソナルコンピュータとの間でデータの通信を行う。画像メモリ１８は画像読取部１３で読取られた原稿の動きの検出パターンや、原稿の画像データや、印刷部１４で印刷するデータなどを記憶する。タイマー２０はタイマーＡ，Ｂ，Ｃ，Ｄを含み、後述の図３に示すタイミングを検出する。
【００１７】
図２は図１に示した画像読取部の断面図である。画像読取部１３は、筐体２と、押え蓋３と、原稿給送部４とを含む。筐体２には光学読取系が内蔵されている。光学読取系は、図２では光源となるランプ５のみを示しており、モータで駆動される移動フレームにランプ５および反射ミラーを含む光学系を取付け、集光レンズと画像読取用の撮像素子（ＣＣＤ）を筐体２内に設けて構成されている。ランプ５を含む光学系は図２に示す矢印方向に往復運動する。
【００１８】
筐体２の上面には、原稿載置台となる透明なカバーガラス６が取付けられている。押え蓋３は、基板７と、給紙トレイ８と、排出トレイ９とを有しており、筐体２の上面端部に図示しないヒンジ機構により開閉可能に取付けられている。押え蓋３は、カバーガラス６に対して開閉動作する開閉板として作用する。
【００１９】
原稿給送部４は給紙トレイ８に載せられている原稿（図示せず）を取込んで反転させる。その原稿は原稿給送部４内を搬送され、透光板４ｋ上を通過する際に原稿の画像が光学読取系で読込まれて排出トレイ９に排出される。原稿給送部４内には、給紙トレイ８上の最上部の原稿を取込むための給送ローラ４ａと分離ローラ４ｂとが設けられている。また、給送ローラ４ａの側方には給紙補助ローラ４ｃが設けられており、ベルト４ｄにより給送ローラ４ａからの駆動力が伝達される。
【００２０】
給紙補助ローラ４ｃは、給送ローラ４ａの回転に伴ってベルト４ｄから駆動力が伝達されて給送ローラ４ａと同方向に回転するとともに、下降して給紙トレイ８上の最上部にある原稿の上面に当接して、給送ローラ４ａによる紙送りを補助する。給送ローラ４ａと分離ローラ４ｂの下流側には、搬送ローラ４ｅと従動ローラ４ｆ，４ｇが設けられている。
【００２１】
給送ローラ４ａと分離ローラ４ｂとにより原稿給送部４内に取込まれた原稿は、搬送ローラ４ｅと従動ローラ４ｆ，４ｇ間に狭持されつつ搬送されて反転させられた後に、透光板４ｋ上を通過する。この透光板４ｋを通して原稿の画像が光学読取系で読取られる。透光板４ｋ上を通過した原稿は、１対の排出ローラ４ｈ，４ｉによって搬送され、排出口４ｊより排出トレイ９上に排出される。
【００２２】
給紙トレイ８の先端部には、原稿がセットされたことおよび給紙トレイ８に挿入された原稿の動きのパターンを検出する検出手段としての原稿センサ１０が設けられている。この原稿センサ１０は、例えば光電センサなどが用いられる。原稿センサ１０で検出された原稿の動きのパターンは、画像メモリ１８に記憶される。
【００２３】
この発明の一実施形態では、画像形成装置で原稿の読取を行っていないアイドル状態において、画像形成装置をコピー機，ＦＡＸ，スキャナのいずれかの機能に切換えるために機能切換えキーを操作することなく、給紙トレイ８に最初に原稿を挿入した後、一度原稿を抜取るという原稿の動きのパターンを検出することで各機能を選択する。
【００２４】
この原稿の動きのパターンについて、図３を参照してより具体的に説明する。図３に示す実線は原稿センサ１０の検出出力である検出パターンを示している。
【００２５】
図３（Ａ）に示す時間Ｂ１は原稿の最初の挿入から原稿の２回目の挿入までの時間であり、図１に示したタイマーＢによって規定される。時間Ｃ１は原稿を２回目に挿入してから機能切換え開始と判断するまでの時間であり、タイマーＣによって規定される。時間Ｄ１は原稿の１回目の挿入時間であり、タイマーＢおよびタイマーＤによって規定される。
【００２６】
時間ｂ〜ｄは、時間Ｂ１〜Ｄ１を規定するための時間範囲を定めており、時間ｂは原稿の２回目の挿入とみなす時間範囲であり、原稿の１回目の挿入であると判断された後、タイマーＢによって計数される時間ｂがタイムアップするまでに原稿の２回目の挿入を検出したとき、原稿の２回目の挿入であると判断される。
【００２７】
時間ｃは原稿の２回目の挿入であると判断されてから読取開始と判断される時間範囲である。タイマーＣで計数される時間ｃがカウントアップするまで図３（Ａ）の実線で示すように、原稿が検出され続ければ、原稿の読取開始を指示する。時間ｄはチャッタリングを除去する時間範囲であり、タイマーＤにより計数される。時間ｄの時間範囲内では、原稿検出の有無は無視される。
【００２８】
図３（Ａ）の点線で示すように、タイマーＣで計数される時間ｃがカウントアップするまでに原稿が抜取られたときのタイミングを図３（Ｂ）に示す。時間Ａ１は前記原稿が抜き取られてから再度原稿検出をスタートするまでの時間であり、タイマーＡによって規定される。時間ａは、時間Ａ１を規定するための時間範囲を定めており、タイマーＡで計数される時間ａがカウントアップするまで原稿検出は行われない。したがって、図３（Ｂ）のＥ１は無視される。
【００２９】
図４はこの発明の一実施形態における画像形成装置の機能切換動作を説明するためのフローチャートである。
【００３０】
画像読取装置１の電源を投入すると、図４に示す機能切換動作の処理に進み、ステップ(図４ではＳＰと略称する）ＳＰ２１においてフラグＦをクリアして「０」に設定する。フラグＦは、例えば「０」に設定されるとコピー機能の選択であり、「１」に設定されるとスキャナ機能の選択であり、「２」に設定されるとＦＡＸの選択であると予め規定されている。
【００３１】
ステップＳＰ２２において、変更入力検知処理を行う。この変更入力検知は、後述の図５で詳細に説明するが、図１に示した画像読取部１３にセットされる図３に示した原稿の動きの検出パターンにより検知される。変更入力検知において検出パターンが通常の原稿セットであることを判別すれば、通常処理のルーチンに進む。通常処理のルーチンでは、従来と同様にして機能切換えキーにより、例えばコピー機能への切換えおよびモード選択キーによるモード選択を行った後に、スタートキーを操作すると画像読取部１３で原稿の読取処理を行って、読取った画像データを印刷部１４で印刷することでコピー機能が実行される。
【００３２】
ステップＳＰ２３において、フラグＦを判別していずれの機能に切換えるかを判別する。すなわち、フラグＦが「０」に設定されていることを判別すると、ステップＳＰ２４においてコピー機能を表示部１７に表示し、フラグＦが「１」に設定されていれば、ステップＳＰ２５においてスキャナ機能を表示し、フラグＦが「２」に設定されていれば、ステップＳＰ２６においてＦＡＸ機能を表示する。
【００３３】
ここで、例えばフラグＦが「０」に設定されていて、コピー機能が表示されているものとする。ステップＳＰ２７において表示されている機能を選択するか否かを判別する。この判別は、表示部１７の表示を利用者が見て、例えば操作部１２の選択キーを押すことで表示されている機能の選択を指示し、制御部１１がその指示を判別して機能の選択であることを判別すればよい。表示されたコピー機能が選択されれば、選択されたコピー機能を実行する。
【００３４】
利用者は表示されているコピー機能以外の機能を選択したいときには、選択キーを操作しない。制御部１１は表示している機能に対して所定時間内に指示がなければ、他の機能選択であることを判別し、ステップＳＰ２８においてフラグＦを＋１して「１」に設定し、ステップＳＰ２９においてフラグＦが「１」より大きくなっているか否かを判別する。フラグＦが「１」より大きくなっていなければステップＳＰ２２に戻って、変更入力検知がされるまで待機する。
【００３５】
ステップＳＰ２２で変更入力を検知すると、ステップＳＰ２３においてフラグＦを判別し、フラグＦが「１」でスキャナ機能であることを判別すると、ステップＳＰ２５においてスキャナ機能を表示し、ステップＳＰ２７においてスキャナ機能が選択されれば、スキャナ機能を実行する。
【００３６】
この処理を繰り返すことで、変更入力検知処理を行う都度、コピー機能→スキャナ機能→ＦＡＸ機能の順に機能を表示し、利用者の指示により所望の機能を選択することができる。ＦＡＸ機能に切換えたときはフラグＦは「２」になっているので、ステップＳＰ２９においてフラグＦが「１」より大きくなっていることを判別し、ステップＳＰ３０でフラグＦをクリアして「０」に戻す。
【００３７】
次に、ステップＳＰ２２における変更入力検知処理について、図５に示すフローチャートに基づいて説明する。制御部１１は、ステップＳＰ１において、原稿センサ１０によって原稿が検出されているか否かを判別し、原稿が給紙トレイ８にあることを判別していれば、１回目の原稿検知動作に入り、この時ステップＳＰ２において、タイマーＢ（時間ｂ），Ｄ（時間ｄ）をスタートさせる。
【００３８】
ステップＳＰ３において、原稿センサ１０の検出信号のチャッタリングによる誤検出を防止するために、タイマーＤによる時間ｄがタイムアップするまで原稿センサ１０の信号の検出を行わない。タイマーＤがカウントアップすると、ステップＳＰ４に進み、カウントアップ時に原稿が検出されているかどうかを判断し、原稿が検出されていなければ、原稿が抜き取られたか、あるいは原稿センサ１０の誤検知等と思われるためステップＳＰ１に戻る。
【００３９】
ステップＳＰ４において、原稿が検出されていれば１回目の検知であることを確定し、ステップＳＰ５において原稿が抜き取られるのを検出する。このとき、ステップＳＰ５，６において、タイマーＢによる時間ｂがタイムアップするまで原稿が抜き取られるのを検出するが、原稿が抜き取られないまま、ステップＳＰ６において、タイマーＢがタイムアップすると、検出した原稿の動きパターンが変更入力検知ではなく、通常の原稿セットであると判断する。
【００４０】
前述のステップＳＰ６においてタイマーＢがタイムアップする前に原稿が抜き取られるのをステップＳＰ５で検出すると、ステップ７において、２回目の原稿検知を開始するが、１回目に原稿を検知してから２回目に原稿を検知するまでの時間が長いときに、変更入力検知ありと判断しないようにタイマーＢによる時間ｂがタイムアップするまで、ステップＳＰ７，８，９のループにより原稿の検知を行う。
【００４１】
ステップＳＰ８において、タイマーＢによる時間ｂがタイムアップするまで原稿が検知されなければ、原稿の読取は中止されたと判断し、ステップＳＰ１に戻る。ステップＳＰ７において、タイマーＢによる時間ｂがタイムアップするまでに原稿が検知されれば、ステップＳＰ９に進む。タイマーＤによる計数時間ｄは、例えば１００ｍｓｅｃに定められており、タイマーＢによる計数時間ｂは、例えば１０００ｍｓｅｃに定められている。
【００４２】
ステップＳＰ９において、タイマーＣにより時間ｃの計数を開始する。時間ｃは、例えば１０００ｍｓｅｃ〜２０００ｍｓｅｃに選ぶのが望ましい。その後、ステップＳＰ１０，１１のループでタイマーＣがカウントアップするまで原稿が検出され続けているかが判断され、ステップＳＰ１１において、原稿が抜き取られないままタイマーＣがタイムアップしたことを判別すると、変更入力検知ありと判断して図４に示すステップＳＰ２２からステップＳＰ２３に進む。
【００４３】
なお、図５に示すステップＳＰ１０において、タイマーＣがカウントアップするまでに原稿が抜き取られたことを判別すると、ステップＳＰ１３において、次の原稿の読取指示を許容するための時間ａを計数するためにタイマーＡの計数を開始させる。ステップＳＰ１４において、タイマーＡが時間ａの計数を終了したか否かを判別し、終了していなければ待機し、終了していれば変更入力を検知しなかったものと判断する。
【００４４】
上述のごとく、この実施形態によれば、給紙トレイ８に最初に原稿を挿入した後、一度原稿を抜き、再度挿入することにより、画像形成機能の変更入力を検知して、画像形成のための機能切換えキーからの指示がなくとも機能切換えをすることができる。したがって、機能切換えキーの位置まで手を移動させてキーを押す動作が不要になり、時間のロスを生じることがない。
【００４５】
また、利用者が同じ手で機能切換えキーを操作するために原稿を持ち替えることなく画像形成機能の変更入力を指示できるので、作業効率が向上する。しかも、原稿を給紙トレイ８に挿入後に、１度原稿を引抜くことで原稿の確認を行うことが可能になり、誤って原稿を読取るおそれをなくすことができる。さらに、利用者が一方の手で原稿を持ち、他方の手で他の物を持っている場合であっても、一方の手で原稿を給紙トレイに８に抜き差しすることで画像形成機能の変更入力を指示することが可能になる。
【００４６】
図６は、この発明の他の実施形態における画像形成装置の外観斜視図であり、図７は図６に示した変更入力検知センサを示す外観図である。図７において、（Ａ）は上面図であり、（Ｂ）は図５の手前側から見た正面図であり、（Ｃ）は右側面図である。
【００４７】
図６において、画像形成装置は、図１と同様にして、押え蓋３と、原稿給送部４と、給紙トレイ８とを含み、原稿給送部４上には変更入力検知センサ３０が設けられている。図１〜図５に示した実施形態では、給紙トレイ８に原稿を挿入した後に引抜くことで変更入力を検知するようにしたのに対して、この実施形態では、変更入力検知センサ３０で原稿５０の一部を読取らせて、変更入力検知した後、給紙トレイ８に原稿５０を挿入して原稿を読取る。
【００４８】
変更入力検知センサ３０はセンサケース３１を含み、センサケース３１内に原稿５０が挿入されたことを検出するフォトインタラプタ３２が内蔵されている。センサケース３１には、フォトインタラプタ３２の発光ダイオードとフォトダイオードとの間を原稿５０が挿入できるように、溝３３が形成されている。溝３３の右側面には図７（Ｂ）に示すように、原稿５０が挿入し易いように開口部が広く形成されている。
【００４９】
図８は、図６および図７に示した変更入力検知センサを用いて変更入力検知を行う実施形態の動作を示すフローチャートである。利用者は画像形成の機能を切換えるときには、原稿５０を変更入力検知センサ３０の溝３３に挿入して、フォトインタラプタ３２により読取らせた後、その原稿５０を給紙トレイ８に挿入する。
【００５０】
図１に示した制御部１１は、図８に示すステップＳＰ３１において、変更入力検知センサ３０によって原稿５０が検出されたか否かを判別し、原稿５０が検出されたことを判別すると、ステップＳＰ３２において、タイマーＢをスタートして時間ｂの計測を開始する。
【００５１】
ステップ３３において、原稿検出センサ１０によって原稿５０が給紙トレイ８に挿入されたか否かの判別を開始する。このとき、ステップＳＰ３３，３４のループで、変更入力検知センサ３０によって原稿５０が検出されてから原稿検出センサ１０によって原稿５０が給紙トレイ８に挿入されるまでの時間が長いときに、変更入力検知と判断しないようにタイマーＢによる時間ｂがタイムアップするまで原稿の検知を行う。ステップＳＰ３４において、タイマーＢによる時間ｂがタイムアップするまで原稿が検知されなかったことを判別すれば、変更入力検知なしと判断する。
【００５２】
ステップＳＰ３３において、タイマーＢによる時間ｂがタイムアップするまでに原稿が検知されれば、ステップＳＰ３５に進む。ステップＳＰ３５において、タイマーＣにより時間ｃが計数される。なお、この実施形態では、図１に示したタイマー２０に含まれているタイマーＢとタイマーＣが使用される。時間ｃは、例えば１０００ｍｓｅｃ〜２０００ｍｓｅｃに選ぶのが望ましい。
【００５３】
その後、ステップＳＰ３６，３７のループでタイマーＣがカウントアップするまで原稿が検出され続けているかが判断され、ステップＳＰ３７において、原稿が抜き取られないままタイマーＣがタイムアップすると、変更入力検知ありと判断する。ステップＳＰ３６において、タイマーＣがカウントアップするまでに原稿が抜き取られたことを判別すると、ステップＳＰ３１に戻る。
【００５４】
したがって、この実施形態においても、図１〜図５の実施形態と同様にして、原稿検知パターンを検出することで、機能切換えキーからの指示がなくとも機能切換えを指示することができる。
【００５５】
なお、原稿を画像読取部１３に挿入する回数を検出パターンとして記憶しておき、機能を切換えるようにしてもよい。すなわち、原稿を画像読取部１３に挿入して、引抜いたときはコピー機能に切換え、原稿を画像読取部１３に２回挿入して引抜いたときにはスキャナ機能に切換え、３回挿入して引抜いたときにはＦＡＸ機能に切換えることも可能である。
【００５６】
この発明は、コピー機能，ＦＡＸ機能およびスキャナ機能の機能切換の他に、片面／両面読込の切換，カラー／モノクロの切換，解像度の切換，文字／文字＋写真／写真モードの切換などの機能切換に適用できる。さらに、利用者を認識するのに利用してもよい。
【００５７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５８】
【図１】この発明の一実施形態における画像形成装置の概略ブロック図である。
【図２】図１に示した画像読取部の断面図である。
【図３】この発明の一実施形態における画像形成装置の動作を説明するためのタイミング図である。
【図４】この発明の一実施形態における画像形成装置の機能切換動作を説明するためのフローチャートである。
【図５】この発明の一実施形態における変更入力検知処理動作を説明するためのフローチャートである。
【図６】この発明の他の実施形態における画像形成装置の外観斜視図である。
【図７】図６に示した変更入力検知センサを示す外観図である。
【図８】図６および図７に示した変更入力検知センサを用いて変更入力検知処理動作を行うためのフローチャートである。
【符号の説明】
【００５９】
２  筐体、３  押え蓋、４  原稿給送部、５  ランプ、８  給紙トレイ、９  排出トレイ、１０  原稿センサ、１１  制御部、１２  操作部、１３  画像読取部、１４  印刷部、１５  回線通信部、１６  ＬＡＮ通信部、１７  表示部、１８  画像メモリ、２０  タイマー、３０  変更入力検知センサ、３１  センサケース、３２  フォトインタラプタ、３３  溝、５０  原稿。
【図１】
2006308894.tif 000003
【図２】
2006308894.tif 000004
【図３】
2006308894.tif 000005
【図４】
2006308894.tif 000006
【図５】
2006308894.tif 000007
【図６】
2006308894.tif 000008
【図７】
2006308894.tif 000009
【図８】
2006308894.tif 000010